(57)【要約】【課題】建物の屋外に面した開口部に沿って簡単に設けることができて、高い防水性を確保することが可能な建物の排水構造を提供する。【解決手段】屋外側１０１の外床１４と屋内側１０２の内床２５との高さが略同じになる建物の開口部２６１に沿って設けられた建物の排水構造である。  そして、外床を支持させる床梁１２と開口部を支持させる床梁２２Ａとの間に形成された溝部３と、外床上に敷設されているとともに溝部の底面３１を覆って内支持部側の側面の少なくとも下部まで延出された防水シート４と、溝部の上面に配置されたグレーチング部材５とを備えている。【選択図】図１
2017179839.tif 000002
【特許請求の範囲】
【請求項１】
屋外側の外床と屋内側の内床との高さが略同じになる建物の開口部に沿って設けられた建物の排水構造であって、
前記外床を支持させる外支持部と前記開口部を支持させる内支持部との間に形成された溝部と、
前記外床上に敷設されているとともに前記溝部の底面を覆って前記内支持部側の側面の少なくとも下部まで延出された防水シートと、
前記溝部の上面に配置されたグレーチング部材とを備えたことを特徴とする建物の排水構造。
【請求項２】
前記グレーチング部材は、前記溝部の両側面に固定された受け部材によって支持されていることを特徴とする請求項１に記載の建物の排水構造。
【請求項３】
前記外支持部及び前記内支持部は、前記外床及び前記内床をそれぞれ支持させる梁材であることを特徴とする請求項１又は２に記載の建物の排水構造。
【請求項４】
前記外支持部と前記溝部と前記内支持部とは、同一基礎面上に配置されていることを特徴とする請求項１乃至３のいずれか一項に記載の建物の排水構造。
【請求項５】
前記外床と前記グレーチング部材の上面は略同じ高さであるとともに、前記開口部の開閉部材の下端面の位置は前記グレーチング部材の上面より高い位置に形成されており、かつ前記開口部の屋内側には前記開閉部材が引っ掛かる段差が形成されていることを特徴とする請求項１乃至４のいずれか一項に記載の建物の排水構造。
【請求項６】
前記外支持部及び内支持部は、梁材と柱材とによって骨組みが形成された建物ユニットの下側の梁材によって形成されていることを特徴とする請求項１乃至５のいずれか一項に記載の建物の排水構造。
【請求項７】
請求項１乃至６のいずれか一項に記載の建物の排水構造を備えたことを特徴とする建物。
【発明の詳細な説明】
【技術分野】
【０００１】
本発明は、屋外側の外床と屋内側の内床との高さが略同じになる建物の開口部に沿って設けられた建物の排水構造、及びそれを備えた建物に関するものである。
【背景技術】
【０００２】
特許文献１に開示されているように、近年ではバリアフリー化が住宅にも浸透してきて、屋外側の外床と屋内側の内床との高さが略同じになる建物が増えてきた。
【０００３】
このようなバリアフリーの住宅においては、屋外側と屋内側の床間に大きな段差を設けることができないため、屋外から屋内に雨水等が流れ込まないようにするための排水装置が開口部周辺に必要となる。
【０００４】
特許文献１−３には、開口部の屋外側に打設されるコンクリートを窪みのある形状に成形して、その窪みに排水装置又は排水溝ユニットを配置する構造が開示されている。
【先行技術文献】
【特許文献】
【０００５】
【特許文献１】特開平９−２４２４４２号公報
【特許文献２】特開平１０−１０２５５８号公報
【特許文献３】特開２００２−２９４８５７号公報
【発明の概要】
【発明が解決しようとする課題】
【０００６】
しかしながら、コンクリートを成形したり地面を掘削したりして開口部の屋外側に窪みを設ける場合は、現地での作業が多くなり、短期間での施工が難しくなる。また、排水装置だけでなく、その周辺の防水構造が重要であり、その施工に手間がかかる。
【０００７】
そこで、本発明は、建物の屋外に面した開口部に沿って簡単に設けることができて、高い防水性を確保することが可能な建物の排水構造及び建物を提供することを目的としている。
【課題を解決するための手段】
【０００８】
前記目的を達成するために、本発明の建物の排水構造は、屋外側の外床と屋内側の内床との高さが略同じになる建物の開口部に沿って設けられた建物の排水構造であって、前記外床を支持させる外支持部と前記開口部を支持させる内支持部との間に形成された溝部と、前記外床上に敷設されているとともに前記溝部の底面を覆って前記内支持部側の側面の少なくとも下部まで延出された防水シートと、前記溝部の上面に配置されたグレーチング部材とを備えたことを特徴とする。
【０００９】
ここで、前記グレーチング部材は、前記溝部の両側面に固定された受け部材によって支持された構成とすることができる。また、前記外支持部及び前記内支持部は、前記外床及び前記内床をそれぞれ支持させる梁材である構成とすることができる。
【００１０】
さらに、前記外支持部と前記溝部と前記内支持部とは、同一基礎面上に配置されている構成とすることができる。また、前記外床と前記グレーチング部材の上面は略同じ高さであるとともに、前記開口部の開閉部材の下端面の位置は前記グレーチング部材の上面より高い位置に形成されており、かつ前記開口部の屋内側には前記開閉部材が引っ掛かる段差が形成されている構成とすることができる。
【００１１】
そして、前記外支持部及び内支持部は、梁材と柱材とによって骨組みが形成された建物ユニットの下側の梁材によって形成されている構成とすることができる。
【００１２】
また、建物の発明は、上記いずれかに記載の建物の排水構造を備えたことを特徴とする。
【発明の効果】
【００１３】
このように構成された本発明の建物の排水構造は、外床を支持させる外支持部と開口部を支持させる内支持部との間に溝部が形成され、外床上に敷設された防水シートが、溝部の底面を覆って内支持部側の側面の少なくとも下部まで延出されている。
【００１４】
このため、コンクリートを成形する等して開口部の屋外側に窪みを設ける必要がなく、上方に突出された外支持部と内支持部との間に、外床に敷設された防水シートを利用して簡単に防水性の高い建物の排水構造を設けることができる。
【００１５】
また、溝部の両側面に固定された受け部材によってグレーチング部材を支持させる構成であれば、外床とグレーチング部材の上面とが平坦に繋がる開閉自在な流入口を溝部の上面に設けることができる。
【００１６】
さらに、外支持部及び内支持部が外床及び内床をそれぞれ支持させる梁材であれば、基礎面に間隔を置いて配置するだけで、容易に溝部を形成することができる。また、外支持部と溝部と内支持部とが同一基礎面上に配置される構成であれば、基礎スラブ上に簡単に設けることができる。
【００１７】
さらに、外床とグレーチング部材の上面を略同じ高さとして開口部の開閉部材の下端面の位置をグレーチング部材の上面より高い位置に形成する構成であれば、僅かな段差を設けるだけで、歩行しやすくかつ屋内側への水の浸入を防ぐことが可能な構造にすることができる。
【００１８】
そしてこのような建物の排水構造は、建物ユニットを離し置きしたり、建物ユニットの下側の梁材の一部を切断して簡単な加工をしたりすることで、容易に構築することができる。
【図面の簡単な説明】
【００１９】
【図１】本実施の形態の建物の排水構造の構成を示した断面図である。
【図２】建物の開口部周辺の概略構成を説明する斜視図である。
【図３】建物ユニットの構成を説明する斜視図である。
【図４】本実施の形態のユニット建物の１階部分の概略構成を示した説明図である。
【発明を実施するための形態】
【００２０】
以下、本発明の実施の形態について図面を参照して説明する。図１は、本実施の形態の建物の排水構造の構成を説明するための断面図で、図２は、その概略構成を説明する斜視図である。
【００２１】
本実施の形態では、建物として図４に示したようなユニット建物１０を例に説明する。この図４は、ユニット建物１０の１階部分の概略構成を示した斜視図である。
【００２２】
まず、ユニット建物１０の構成から説明すると、このようなユニット建物１０は、工場で製作される複数の建物ユニット２，・・・及びエントランスユニット１を建築現場に搬送し、基礎スラブなどの基礎面１０３（図１参照）の上に横方向に並べて１階部を構築するとともに、それらの（下階）建物ユニット２，・・・の上に別の（上階）建物ユニット２，・・・を積み上げることで上層階を構築していく。
【００２３】
一方、ユニット建物１０を構成するエントランスユニット１及び建物ユニット２は、梁材と柱材とによって骨組みが形成される。まず、第１ユニット群２０Ａ及び第２ユニット群２０Ｂを構成する建物ユニット２について、図３を参照しながら説明する。
【００２４】
建物ユニット２は、四隅に配置される柱材としての柱２１，・・・と、その柱２１，・・・の下端間に差し渡される梁材としての床梁２２，２２Ａ，・・・と、柱２１，・・・の上端間に架け渡される梁材としての天井梁２３，２３Ａ，・・・とによってボックス形の骨組構造体に形成される。
【００２５】
ここで、柱２１は角形鋼管、床梁２２，２２Ａ及び天井梁２３，２３Ａは断面視略コ字形の溝形鋼材によって形成されている。また、柱２１と床梁２２（２２Ａ）及び天井梁２３（２３Ａ）は、接合枠材２４（２４Ａ）を介して溶接接合される。要するに建物ユニット２は、すべての隅角部が溶接接合されたラーメン構造体となっている。
【００２６】
そして、図４に示すように、複数の建物ユニット２，・・・が左右及び上下に連結されることによって第１ユニット群２０Ａが形成される。また、第１ユニット群２０Ａと間隔を置いて、複数の建物ユニット２，・・・が左右及び上下に連結されることによって第２ユニット群２０Ｂが形成される。
【００２７】
本実施の形態のユニット建物１０では、平面視略長方形となる第１ユニット群２０Ａと第２ユニット群２０Ｂとは、略平行となるように間隔を置いて設けられる。そして、この第１ユニット群２０Ａと第２ユニット群２０Ｂとの間の平面視略長方形の空間に、図４に示すようにエントランスユニット１が設置される。
【００２８】
このエントランスユニット１は、四隅に配置される柱材としての柱１１，・・・と、その柱１１，・・・の下端間に差し渡される梁材としての床梁１２，１２Ａ，・・・と、柱１１，・・・の上端間に架け渡される梁材としての天井梁１３，１３Ａ，・・・とによって骨組構造体が形成される建物ユニットである。
【００２９】
ここで、柱１１は角形鋼管、床梁１２，１２Ａ及び天井梁１３，１３Ａは断面視略コ字形の溝形鋼材によって形成されている。また、柱１１と床梁１２（１２Ａ）及び天井梁１３（１３Ａ）は、接合枠材（図示省略）を介して溶接接合される。
【００３０】
このエントランスユニット１は、最終的に上方が屋根で覆われた構成となるが、側方などが開放されており雨が吹き込んだりするため、エントランスユニット１内は、半屋外として屋外と同様に扱われる。
【００３１】
すなわち第１ユニット群２０Ａ（又は第２ユニット群２０Ｂ）には、図１，２に示すように、エントランスユニット１との境界に外壁２６が設けられる。要するに図１に示すように、エントランスユニット１側が屋外側１０１となり、建物ユニット２側が屋内側１０２となる。
【００３２】
エントランスユニット１は、建物ユニット２に対して、溝部３の幅分だけ離隔させて離し置きされる。エントランスユニット１と建物ユニット２は、同一の基礎面１０３上に設置され、床梁１２と床梁２２Ａとの間が溝状の空間となる。
【００３３】
このエントランスユニット１の床梁１２は、取付金具１２１と床小梁１２２を介して支持させる外床１４の外支持部となる。一方、建物ユニット２の床梁２２Ａは、取付金具２５１と床小梁２５２を介して支持させる内床２５の内支持部となる。ここで、外床１４の高さ（レベル）と内床２５の高さ（レベル）とは、略同じになる。
【００３４】
外床１４の上面には、防水シート４が敷設される。本実施の形態では、この防水シート４を通常の構成よりも延長させる。この外床１４の上面に敷設される防水シート４の部分を、床上部４１とする。
【００３５】
この床上部４１に連続して溝部３の一方の側面に沿って垂れ下がる部分を、垂下部４２とする。要するに垂下部４２は、外床１４の端面と床梁１２の側面とに沿って垂下される。
【００３６】
さらに、垂下部４２に連続して溝部３の底面３１を覆う部分を、底面部４３とする。要するに溝部３の底面３１は、防水シート４に覆われた防水構造となる。
【００３７】
そして、底面部４３に連続して溝部３の他方の側面に対して、立上げ部４４が立ち上げられる。この立上げ部４４は、床梁２２Ａの側面の少なくとも下部まで延出される。
【００３８】
ここでは立上げ部４４を、開口周縁部２７の下端部２７１と床梁２２Ａの側面との間に介在させる。立上げ部４４の長さ（高さ）は、溝部３に想定される水位に合わせて調整することができる。
【００３９】
開口周縁部２７は、図２に示すように、外壁２６に設けられた開口部２６１の下方に形成される。開口部２６１は、屋内外を連通させる出入口になり、開閉部材として玄関扉２６２が取り付けられる。
【００４０】
そして、溝部３は、開口部２６１の下縁に沿って屋外側１０１に設けられる。開口周縁部２７は、図１に示すように、外壁２６の下縁部２６ａの側面を覆うように金属板などによって形成される。
【００４１】
また、玄関扉２６２の下端面２６２ａは、開閉時の障害とならないように、開口周縁部２７の上面より僅かに高い位置に配置される。一方、開口周縁部２７の屋内側１０２には、玄関扉２６２の下端面２６２ａ周辺が接触する段差部２６３が設けられる。
【００４２】
この段差部２６３は、例えば10mm程度以下で、歩行や車椅子の通行の障害となるような段差ではない。また、段差部２６３に隣接して設けられるタタキ面２６４は、内床２５の上面よりも僅かに高く形成されている。
【００４３】
また、溝部３の上面に配置されるグレーチング部材５は、溝部３の幅方向（屋内外方向）の両側面に固定された受け部材としての支持アングル５３，５３によって支持される。
【００４４】
グレーチング部材５は、格子状に形成された蓋材で、上面に流れ込んだ水を通過させて溝部３に集水させる機能を有する。グレーチング部材５は、溝部３の上面形状に合わせて平面視略長方形に形成され、下方に向けて垂下された側縁部５１，５１の下端には、内側に折り曲げられた接地部５２，５２がそれぞれ設けられる。
【００４５】
また、側面視略Ｌ字形の支持アングル５３は、床梁１２に対しては防水シート４の垂下部４２を通ってねじ込まれた固定ネジ５３１によって接合される。この垂下部４２を貫通させた箇所は、必要に応じて防水処理が施される。
【００４６】
一方、屋内側１０２の支持アングル５３は、外壁２６の下縁部２６ａにねじ込まれた固定ネジ５３２によって床梁２２Ａに接合される。このようにして溝部３の両側面に固定された支持アングル５３，５３の上面に、グレーチング部材５の両側の接地部５２，５２がそれぞれ載せられる。
【００４７】
図２は、溝部３の上面がグレーチング部材５によって塞がれた状態を示している。外床１４の上面となる防水シート４の表面とグレーチング部材５の上面とは、略同じ高さとなって段差のないフラットな状態になる。
【００４８】
次に、本実施の形態のユニット建物１０の排水構造の作用について説明する。
【００４９】
このように構成された本実施の形態のユニット建物１０の排水構造は、外床１４を支持させる床梁１２と内床２５を支持させる床梁２２Ａとの間に溝部３が形成される。
【００５０】
また、外床１４上に敷設された防水シート４が、溝部３の底面３１を覆って床梁２２Ａ側の側面の少なくとも下部まで延出されている。要するに溝部３は、底面３１とその両側縁の少なくとも下部が、防水シート４に覆われた状態となる。
【００５１】
溝部３には、床上部４１に溜まった水がグレーチング部材５を通じて流れ込むだけで、大量に水が流れ込むものではないため、溝部３の両側面の下部までが防水処理されているだけで足りる。
【００５２】
このため、コンクリートを成形する等して開口部の屋外側に窪みを設ける必要がなく、同一基礎面１０３に設置されて上方に突出された床梁１２と床梁２２Ａとの間に、外床１４に敷設された防水シート４を利用して簡単に防水性の高い建物の排水構造を設けることができる。
【００５３】
特に、防水シート４が、床上部４１、垂下部４２、底面部４３及び立上げ部４４と連続させた構成となっているので、継目処理などが不要で、高い防水性能を確保することができる。
【００５４】
また、溝部３の両側面に固定された支持アングル５３，５３によってグレーチング部材５を支持させる構成であれば、グレーチング部材５の縁部を外床１４上に載せる構造と比べて、外床１４とグレーチング部材５の上面をほぼ連続した平坦な歩きやすい面にすることができる。そして、支持アングル５３，５３に蓋状のグレーチング部材５を載せる構成であれば、簡単に開閉自在な流入口を溝部３の上面に設けることができる。
【００５５】
さらに、外床１４を支持させる床梁１２と内床２５を支持させる床梁２２Ａとを基礎面１０３に間隔を置いて配置するだけで、その間隙が溝部３になる。そして、床梁１２，２２Ａとその間の溝部３とを同一基礎面１０３上に配置させる構成であれば、基礎スラブ上に簡単に設けることができる。
【００５６】
また、外床１４の上面となる床上部４１とグレーチング部材５の上面とを略同じ高さとして、開口部２６１の玄関扉２６２の下端面２６２ａの位置をグレーチング部材５の上面より高い位置に形成する構成であれば、僅かな段差部２６３を設けるだけで、歩行しやすくかつ屋内側１０２への水の浸入を防ぐことが可能な構造にすることができる。
【００５７】
そしてこのようなユニット建物１０の排水構造は、エントランスユニット１と建物ユニット２とを離し置きして防水シート４を敷設するだけで、容易に構築することができる。
【００５８】
以上、図面を参照して、本発明の実施の形態を詳述してきたが、具体的な構成は、この実施の形態に限らず、本発明の要旨を逸脱しない程度の設計的変更は、本発明に含まれる。
【００５９】
例えば、前記実施の形態では、建物ユニット２，・・・とエントランスユニット１とによって構築されるユニット建物１０に適用する場合について説明したが、これに限定されるものではなく、在来工法で構築される建物の開口部に対しても、本発明を適用することができる。
【００６０】
また、前記実施の形態では、エントランスユニット１を離し置きする場合を例に説明したが、これに限定されるものではない。例えば、エントランスユニット１の床梁１２を開口部２６１の前だけ切断し、平面視で凹形に加工することで、その凹形に加工した範囲に溝部を設けることができる。この場合は、凹形の底辺位置に配置される枠材が、外支持部となる。
【００６１】
さらに、前記実施の形態では、床梁１２，２２Ａによって構成される外支持部と内支持部について説明したが、これに限定されるものではなく、屋外側１０１の外側面を形成する外支持部と屋内側１０２の外側面を形成する内支持部との間に間隔を開けて、その間隙を溝部とする構成であればよい。
【００６２】
また、前記実施の形態では、床梁２２Ａと開口周縁部２７の下端部２７１との間に立上げ部４４を挟持させる構成について説明したが、これに限定されるものではなく、例えば立上げ部を開口周縁部２７の表面側（溝部３側）に貼り付けた構成としてもよい。
【符号の説明】
【００６３】
１０            ユニット建物（建物）
１０１          屋外側
１０２          屋内側
１０３          基礎面
１              エントランスユニット（建物ユニット）
１１            柱（柱材）
１２，１２Ａ    床梁（梁材）
１３，１３Ａ    天井梁（梁材）
１４            外床
２              建物ユニット
２１            柱（柱材）
２２，２２Ａ    床梁（梁材）
２３，２３Ａ    天井梁（梁材）
２５            内床
２６１          開口部
２６２          玄関扉（開閉部材）
２６２ａ        下端面
２６３          段差部
３              溝部
３１            底面
４              防水シート
５              グレーチング部材
５３            支持アングル（受け部材）
【図１】
2017179839.tif 000003
【図２】
2017179839.tif 000004
【図３】
2017179839.tif 000005
【図４】
2017179839.tif 000006